(57)【要約】【課題】１回の設定で印刷を複数回繰り返し実行できるようにし、設定後において設定内容の一部に変更が必要となった場合、その変更箇所を特定し変更を指示するだけで変更後の設定によりそれ以降の印刷を実行できるようにする。【解決手段】印刷装置に、印刷データと、印刷データに対して設定された複数の印刷基準時を表す印刷基準時データとを含む印刷ジョブセットを受け付けるジョブ受付手段と、ジョブ受付手段により受け付けた印刷ジョブセットの印刷データを用いて、複数の印刷基準時のそれぞれに基づいて印刷を実行させる印刷制御手段と、ジョブ受付手段により受け付けた印刷ジョブセットに含まれているいずれかのデータについて更新の指示を受け付け、更新を指示されたデータを更新するデータ更新手段とを備え、印刷制御手段が、データ更新手段により印刷ジョブセットのデータに更新があった場合、更新後のデータを用いてそれ以降の印刷を実行させる。【選択図】図３
2014051059.tif 000002
【特許請求の範囲】
【請求項１】
印刷ジョブを受け付けて印刷を実行する印刷装置であって、
印刷データと、該印刷データに対して設定された複数の印刷基準時を表す印刷基準時データとを含む印刷ジョブセットを受け付けるジョブ受付手段と、
該ジョブ受付手段により受け付けた印刷ジョブセットの印刷データを用いて、前記複数の印刷基準時のそれぞれに基づいて印刷を実行させる印刷制御手段と
前記ジョブ受付手段により受け付けた印刷ジョブセットに含まれているいずれかのデータについて更新の指示を受け付け、該更新を指示されたデータを更新するデータ更新手段とを備え、
前記印刷制御手段が、前記データ更新手段により前記印刷ジョブセットのデータに更新があった場合、該更新後のデータを用いてそれ以降の印刷を実行させるものであることを特徴とする印刷装置。
【請求項２】
前記印刷制御手段が、前記ジョブ受付手段により受け付けた印刷ジョブセットの２回目以降の各印刷を、直前の印刷終了後から該印刷の印刷実行時までの間に前記印刷ジョブセットのデータが更新された場合にのみ実行させるものであることを特徴とする請求項１記載の印刷装置。
【請求項３】
ユーザ端末と、請求項２記載の印刷装置とを備えた印刷システムであって、
前記ユーザ端末が、前記印刷装置から前記ジョブ受付手段により受け付けられている印刷ジョブセットの一覧を取得して表示させ、該表示された印刷ジョブセットの一覧から任意の印刷ジョブセットを選択する入力と、該選択された印刷ジョブセットに含まれているいずれかのデータについて更新を指示する入力とを受け付け、該受け付けた変更の指示を前記印刷装置に出力する更新指示受付手段を備えたものであり、
前記データ更新手段が、前記ユーザ端末から前記更新の指示を受け付け、前記データの更新を行うものであることを特徴とする印刷システム。
【発明の詳細な説明】
【技術分野】
【０００１】
本発明は、印刷ジョブを受け付けて複数回繰り返し印刷を実行する印刷装置および印刷システムに関する。
【背景技術】
【０００２】
特許文献１には、印刷ジョブを受け付け、その印刷物が使用される行事の実施予定時刻を特定し、その実施予定時刻に合わせて印刷ジョブを処理する印刷装置が開示されており、この印刷装置により、ユーザは、１回限りの期日指定印刷を行うことができる。
【先行技術文献】
【特許文献】
【０００３】
【特許文献１】特開２００８−１４８０８８号
【発明の概要】
【発明が解決しようとする課題】
【０００４】
しかし、上記従来の印刷装置では、たとえば会社内で定期的に開催される定例会議の資料を印刷する場合などの、同じ印刷設定に基づいて複数回繰り返し印刷を行う場合でも、ユーザが各回の印刷のそれぞれに対応して印刷ジョブを設定する操作を繰り返し行う必要があり、手間と時間がかかるという問題がある。
【０００５】
本発明は、上記事情に鑑み、１回の設定で印刷を複数回繰り返し実行させることができ、さらに設定後において設定内容の一部に変更が必要となった場合には、その変更箇所を特定し変更を指示するだけで変更後の設定によりそれ以降の印刷を実行させることができる印刷装置及び印刷システムを提供することを目的とするものである。
【課題を解決するための手段】
【０００６】
本発明の印刷装置は、印刷ジョブを受け付けて印刷を実行する印刷装置であって、印刷データと、印刷データに対して設定された複数の印刷基準時を表す印刷基準時データとを含む印刷ジョブセットを受け付けるジョブ受付手段と、ジョブ受付手段により受け付けた印刷ジョブセットの印刷データを用いて、複数の印刷基準時のそれぞれに基づいて印刷を実行させる印刷制御手段と、ジョブ受付手段により受け付けた印刷ジョブセットに含まれているいずれかのデータについて更新の指示を受け付け、更新を指示されたデータを更新するデータ更新手段とを備え、印刷制御手段が、データ更新手段により印刷ジョブセットのデータに更新があった場合、更新後のデータを用いてそれ以降の印刷を実行させることを特徴とするものである。
【０００７】
上記本発明の印刷装置において、印刷制御手段は、ジョブ受付手段により受け付けた印刷ジョブセットの２回目以降の各印刷を、直前の印刷終了後からその印刷の印刷実行時までの間に印刷ジョブセットのデータが更新された場合にのみ実行させるものであってもよい。
【０００８】
本発明の印刷システムは、ユーザ端末と、上述のジョブ受付手段、印刷制御手段およびデータ更新手段を備えた印刷装置とを備えた印刷システムであって、ユーザ端末が、印刷装置からジョブ受付手段により受け付けられている印刷ジョブセットの一覧を取得して表示させ、表示された印刷ジョブセットの一覧から任意の印刷ジョブセットを選択する入力と、選択された印刷ジョブセットに含まれているいずれかのデータについて更新を指示する入力とを受け付け、その受け付けた更新の指示を印刷装置に出力する更新指示受付手段を備えたものであり、印刷装置のデータ更新手段が、ユーザ端末から更新の指示を受け付け、データの更新を行うものであることを特徴とするものである。
【発明の効果】
【０００９】
本発明の印刷装置によれば、印刷ジョブを受け付けて印刷を実行する印刷装置であって、印刷データと、印刷データに対して設定された複数の印刷基準時を表す印刷基準時データとを含む印刷ジョブセットを受け付けるジョブ受付手段と、ジョブ受付手段により受け付けた印刷ジョブセットの印刷データを用いて、複数の印刷基準時のそれぞれに基づいて印刷を実行させる印刷制御手段とを備えているので、ユーザは、印刷ジョブセットを１回設定するだけで、印刷を複数回繰り返し実行させることができる。これにより、ユーザの利便性が向上する。
【００１０】
また、ジョブ受付手段により受け付けた印刷ジョブセットに含まれているいずれかのデータについて更新の指示を受け付け、更新を指示されたデータを更新するデータ更新手段を備え、印刷制御手段が、データ更新手段により印刷ジョブセットのデータに更新があった場合、更新後のデータを用いてそれ以降の印刷を実行させるものであるため、ユーザは、設定済みの印刷ジョブセットのデータに変更が必要となった場合に、一度設定した印刷ジョブセットを再び全部設定しなおさずとも変更後のデータによりそれ以降の印刷を実行させることができる。
【００１１】
上記本発明の印刷装置において、印刷制御手段が、ジョブ受付手段により受け付けた印刷ジョブセットの２回目以降の各印刷を、直前の印刷終了後からその印刷の印刷実行時までの間に印刷ジョブセットのデータが更新された場合にのみ実行させるものである場合には、印刷ジョブセットがそのデータに更新があった場合にのみ印刷の実行を必要とするものである場合に、無駄な印刷物の生成を防止することができる。たとえば、毎回新しい内容の資料が印刷・配布される会社内の定例会議では、その定例会議が通常通り開催されず資料の印刷が不要となった場合、その資料の印刷ジョブセットはデータが更新されない傾向があるので、上述のように印刷ジョブセットのデータに更新があった場合にのみ印刷が実行されるようにすることで無駄な印刷物の生成を防止することができる。
【００１２】
上記本発明の印刷システムによれば、ユーザ端末と、上述のジョブ受付手段、印刷制御手段およびデータ更新手段を備えた印刷装置とを備えた印刷システムであって、ユーザ端末が、印刷装置からジョブ受付手段により受け付けられている印刷ジョブセットの一覧を取得して表示させ、表示された印刷ジョブセットの一覧から任意の印刷ジョブセットを選択する入力と、選択された印刷ジョブセットに含まれているいずれかのデータについて更新を指示する入力とを受け付け、その受け付けた更新の指示を印刷装置に出力する更新指示受付手段を備えたものであり、印刷装置のデータ更新手段が、ユーザ端末から更新の指示を受け付け、データの更新を行うものであるので、ユーザは、ユーザ端末において、印刷装置に受け付けられている複数の印刷ジョブセットの中からデータを更新しようとしている印刷ジョブセットを容易に特定し、データ更新の指示を出すことができる。
【００１３】
さらに、ユーザ端末において印刷ジョブセットの一覧を表示する際に、印刷ジョブセットの一部の情報については表示を制限することにより、セキュリティーおよびプライバシーの保護を図ることもできる。
【図面の簡単な説明】
【００１４】
【図１】印刷システムの概略構成を示すブロック図
【図２】印刷制御部により行われる処理の流れを示すフローチャート（その１）
【図３】印刷システムにより行われる処理の具体例を示す図
【図４】印刷制御部により行われる処理の流れを示すフローチャート（その２）
【図５】印刷制御部により行われる処理の流れを示すフローチャート（変形例）
【発明を実施するための形態】
【００１５】
以下、図面を参照して、本発明の印刷システムの一実施形態について説明する。図１は、本実施形態に係る印刷システム１の概略構成を示す図である。この印刷システム１は、図１に示すように、ユーザ端末２と、印刷装置３とを備えており、ユーザ端末２と印刷装置３はネットワーク９を介して互いに接続している。
【００１６】
ユーザ端末２は、ユーザからの印刷に関する各種指示を受け付け、印刷装置３に印刷ジョブあるいは印刷ジョブの更新指示を出力するコンピュータ（スマートフォンやタブレットコンピュータを含む）であって、通信部２１、表示部２２、入力部２３および制御部２４を備えている。
【００１７】
通信部２１は、印刷装置３にネットワーク９を介して印刷ジョブあるいは印刷ジョブの更新指示を送信する際、印刷装置３からネットワーク９を介して印刷ジョブの一覧を受信する際などに通信プロトコル処理を行うものである。
【００１８】
表示部２２は、液晶ディスプレイ、ＣＲＴ等の画像出力装置を備え、制御部２４から供給された出力信号に基づいて、印刷ジョブの設定画面等の各種画面を表示する。入力部２３は、マウスやキーボード、タッチパッド等を備えており、利用者の操作により操作信号を生成して制御部２４へ供給する。
【００１９】
制御部２４は、メモリに記憶されているプログラムに従い、各種制御処理を実行するものであって、印刷ジョブ生成部２４１および更新指示受付部２４２を備えている。
【００２０】
印刷ジョブ生成部２４１は、入力部２３により受け付けたユーザからの要求に応じて、印刷ジョブを生成し印刷装置３に出力するものであり、特に、入力部２３により印刷対象のデータを特定し、かつ、複数の印刷基準時を指定するユーザ入力を受け付け、印刷データと、その印刷データに対して設定された複数の印刷基準時を表す印刷基準時データとを含む印刷ジョブセットを生成し、生成された印刷ジョブセットを通信部２１を介して印刷装置３へ送信する。これにより、印刷装置３では、複数の印刷基準時のそれぞれに基づいて定められる各印刷基準時のそれぞれに対応する複数の印刷実行時のそれぞれに１回分の印刷が実行されることとなる。なお、本明細書では、複数回繰り返し印刷を実行させるための印刷ジョブを印刷ジョブセットと呼んでいる。
【００２１】
印刷ジョブセットは、印刷ジョブセット名データ、印刷データ、印刷基準時データ、更新確認要否データ、その他の印刷条件データなどを含むように構成される。ここで、印刷ジョブセット名データは、印刷ジョブセットの名称を表すデータであり、印刷ジョブセットの名称としては、ユーザにより指定された任意のものを用いることができる。その他の印刷条件データは、印刷部数、用紙サイズ等印刷条件を表すデータである。
【００２２】
更新確認要否データは、印刷ジョブセットの２回目以降の各印刷に際して、印刷実行の要否を判断するためにデータの更新状況を確認する処理を行うか否か、即ち、印刷ジョブセットのデータに変化がない場合でも印刷を実行するか否かの設定を表すデータである。更新確認要否データに「確認要」が設定された場合には、直前の印刷終了後から次の印刷実行時までの間に印刷ジョブセットのデータに更新があったか否かが確認され、更新が有った場合にのみ印刷が実行され、「確認不要」が設定された場合には、更新の有無を問わず印刷が実行される。
【００２３】
また、印刷ジョブセットには、その印刷ジョブセットが作成された日時を表す日時データが付帯される。この日時データは、その後印刷ジョブセットのデータに更新がある度に最後に行われた更新の日時に書き換えられることとなる。以下、この日時データを「作成／更新日時データ」という。
【００２４】
更新指示受付部２４２は、入力部２３により受け付けたユーザからの要求に応じて、印刷装置３に設定済みの印刷ジョブについて更新の指示を出力するものである。具体的には、まず、ユーザからの要求に応じて、印刷装置３からその時点で受け付けられている印刷ジョブセットのリストを取得し、その一覧を表示部２２に表示させる。そして、表示部２２に表示された印刷ジョブセットの一覧に対して、入力部２３により任意の印刷ジョブセットを選択し、かつ、その選択された印刷ジョブセットに含まれているいずれかのデータ、について更新を指示するユーザによる入力を受け付け、受け付けた変更の指示を通信部２１を介して印刷装置３へ送信する。このとき、ユーザが更新を指示する印刷ジョブセットのデータは、印刷データに限らず、印刷基準時データ、印刷ジョブセットに含まれているその他のデータのいずれかであってもよい。
【００２５】
印刷装置３は、ユーザ端末２から印刷ジョブを受け付けて印刷を実行するものであって、通信部３１、記憶部３２、タイマ３３、印刷部３４および制御部３５を備えている。
【００２６】
通信部３１は、ユーザ端末２からネットワーク９を介して印刷ジョブあるいは印刷ジョブの更新指示を受信する際、ユーザ端末２にネットワーク９を介して印刷ジョブの一覧を送信する際などに通信プロトコル処理を行うものである。
【００２７】
記憶部３２は、書き換え可能なメディアを備えており、そのメディアに対してデータの記憶および読み出しを行う。たとえば制御部３５からアクセスされ、ユーザ端末２から受信した印刷ジョブセットのデータの読み書きを行う。タイマ３３は、現在日時を計時するものであって、制御部３５からアクセスされ、現在日時を出力する。
【００２８】
印刷部３４は、給紙機構、搬送機構、排紙機構およびインクジェットヘッドを備えており、制御部３５により制御されて、用紙をインクジェットヘッドに向けて供給し、ユーザ端末２から受信し記憶部３２に記憶された印刷ジョブセットの印刷データを用いて、インクジェットヘッドがライン毎にインクを吐出することにより、印刷を実行するものである。なお、印刷部３４は、インクジェット方式に限定されるものではなく、孔版印刷方式であってもよい。
【００２９】
制御部３５は、メモリに記憶されているプログラムに従い、印刷装置３の全体の制御を行うものであって、印刷ジョブ受付部３５１、データ更新部３５２および印刷制御部３５３を備えている。
【００３０】
印刷ジョブ受付部３５１は、ユーザ端末２から送られてきた印刷ジョブセットを受け付けるものである。印刷ジョブ受付部３５１により受け付けられた印刷ジョブセットのデータは記憶部３２に出力され記憶される。
【００３１】
データ更新部３５２は、ユーザ端末２からの要求に応じて、その時点で印刷装置３に受け付けられている印刷ジョブセットのリストを出力するとともに、ユーザ端末２から任意の印刷ジョブセットに含まれているいずれかのデータについて更新の指示を受け付け、更新の指示に従って、記憶部に記憶されている更新を指示された印刷ジョブセットのデータを書き換えて更新するものである。このとき、データ更新部３５２は、タイマ３４を参照してデータ更新時における現在日時に取得し、印刷ジョブセットに付帯されている作成／更新日時データを最後に行われた更新時における現在日時に書き換える処理も行う。
【００３２】
印刷制御部３５３は、ユーザ端末２から受信し記憶部３２に記憶された印刷ジョブセットのデータに基づいて印刷部３４を制御することにより、印刷を実行させるものである。印刷制御部３５３は、基本的には、印刷ジョブセットの印刷データを用いて、その印刷データに対して設定された複数の印刷基準時のそれぞれに基づいて定められる各印刷基準時のそれぞれに対応する複数の印刷実行時のそれぞれに１回分の印刷を実行させる。このとき、印刷実行時としては、対応する印刷基準時をそのまま用いてもよいが、印刷基準時にはユーザに印刷物を提供できるように、印刷基準時よりも早い時刻とするのが好ましい。たとえば、印刷所要時間に多少バラツキがあったとしても、この時刻から印刷を開始すれば、遅くとも印刷基準時までには印刷が終了するだろうと推測される時刻を印刷実行時とするとよい。
【００３３】
ただし、印刷制御部３５３は、印刷ジョブセットの更新確認要否データに「確認要」が設定されている場合には、印刷ジョブセットの２回目以降の各印刷を、直前の印刷終了後からその印刷の印刷実行時までの間に印刷ジョブセットのデータが更新された場合にのみ実行させる。一方、更新確認要否データに「確認不要」が設定された場合には、データ更新の有無を問わず印刷を実行させる。このとき、印刷ジョブセットのデータに更新があったか否かの判断は、印刷実行時の時点で印刷ジョブセットに付帯されている作成／更新日時データを、直前の印刷に用いられた印刷ジョブセットに付帯されていた作成／更新日時データと比較することにより行う。両者が一致している場合にはデータが更新されていないものと判断し、両者が異なっている場合にはデータが更新されているものと判断する。
【００３４】
また、印刷制御部３５３は、データ更新部３５２により対象の印刷ジョブセットのデータに更新があった場合には、更新後のデータを用いてそれ以降の印刷を実行させる。
【００３５】
以下、図２のフローチャートを参照して、更新確認要否データに「確認要」が設定された印刷ジョブセットを受け付けたときに印刷制御部３５３により実行される処理の流れについて説明する。印刷制御部３５３は、まず、印刷ジョブセットの印刷基準時データを参照して直近の印刷基準時を特定し、特定された印刷基準時に基づいて直近の印刷実行時を設定する（Ｓ１）。次いで、タイマ３３のから出力される現在日時の情報に基づいてステップＳ１において設定された印刷実行時が到来したか否かを監視し（Ｓ２）、印刷実行時が到来したときに（Ｓ２、「ＹＥＳ」）、ステップＳ３に進み、印刷ジョブセットの印刷データを用いて印刷部３４に印刷を実行させる（Ｓ３）。
【００３６】
次いで、ステップＳ４に進み、次の直近の印刷基準時を特定し、特定された印刷基準時に基づいてまた直近の印刷実行時を設定する（Ｓ４）。そして、タイマ３３のから出力される現在日時の情報に基づいてステップＳ４において設定された印刷実行時が到来したか否かを監視し（Ｓ５）、印刷実行時が到来したときに（Ｓ５、「ＹＥＳ」）、ステップＳ６に進み、直前の印刷終了後からその時点（印刷実行時）までの間に印刷ジョブセットのデータが更新されたか否かを判断する（Ｓ６）。そこで、印刷ジョブセットのデータが更新されていると判断された場合には（Ｓ６、「ＹＥＳ」）、ステップＳ７に進み、印刷ジョブセットの印刷データを用いて印刷部３４に印刷を実行させる（Ｓ７）。一方、印刷ジョブセットのデータが更新されていないと判断された場合には（Ｓ６、「ＮＯ」）、ステップＳ８に進み、その印刷実行時に予定していた印刷を中止させる（Ｓ８）。
【００３７】
次いで、ステップＳ９に進み、その印刷ジョブセットについて処理が完了したか否かを判断し（Ｓ９）、完了していないと判断された場合には（Ｓ９、「ＮＯ」）、ステップＳ４に戻り、引き続きＳ４以降の処理を行う。一方、全ての印刷処理が完了したと判断された場合には（Ｓ９、「ＹＥＳ」）場合には、そこで処理を終了する。
【００３８】
たとえば図３に示すように、２０１３年７月１日月曜日１０ＡＭに、印刷ジョブセット名「○○会」の印刷ジョブセットであって、印刷データＡについて、毎週月曜日３ＰＭを印刷基準時とし、かつ、更新確認要否データに「確認要」が設定されている印刷ジョブセットを受け付けた場合には、まず、１回目の印刷基準時「７月１日月曜日３ＰＭ」に対応してその２時間前の「７月１日月曜日１ＰＭ」が１回目の印刷実行時として設定され、１回目の印刷実行時が到来したときに、１回目の印刷が実行される。そして、次の２回目の印刷基準時「７月８日月曜日３ＰＭ」に対応してその２時間前の「７月８日月曜日１ＰＭ」が２回目の印刷実行時として設定される。
【００３９】
その後の７月２日火曜日１０ＡＭに、同印刷ジョブセットについて印刷データＡを印刷データＢに変更するデータ変更の指示を受け付けたとする。そうすると、２回目の印刷実行時が到来したとき、直前の印刷終了後からその時点までの間に印刷ジョブセットのデータが更新されたか否かの判断において、印刷ジョブセットのデータが更新されていると判断され、２回目の印刷が実行される。そして、次の３回目の印刷基準時「７月１５日月曜日３ＰＭ」に対応してその２時間前の「７月１５日月曜日１ＰＭ」が３回目の印刷実行時として設定される。
【００４０】
しかし、図３に示すように、２回目の印刷終了後から３回目の印刷実行時までの間には、同印刷ジョブセットについて更新がなされていないとする。そうすると、３回目の印刷実行時が到来したとき、直前の印刷終了後からその時点までの間に印刷ジョブセットのデータが更新されたか否かの判断において、印刷ジョブセットのデータが更新されていないと判断され、３回目の印刷は中止となる。
【００４１】
以下、図４のフローチャートを参照して、更新確認要否データに「確認不要」が設定された印刷ジョブセットを受け付けたときに印刷制御部３５３により実行される処理の流れについて説明する。印刷制御部３５３は、まず、印刷ジョブセットの印刷基準時データを参照して直近の印刷基準時を特定し、特定された印刷基準時に基づいて直近の印刷実行時を設定する（Ｓ１１）。次いで、タイマ３３のから出力される現在日時の情報に基づいてステップＳ１１において設定された印刷実行時が到来したか否かを監視し（Ｓ１２）、印刷実行時が到来したときに（Ｓ１２、「ＹＥＳ」）、ステップＳ１３に進み、印刷ジョブセットの印刷データを用いて印刷部３４に印刷を実行させる（Ｓ１３）。
【００４２】
次いで、その印刷ジョブセットについて処理が完了したか否かを判断し（Ｓ１４）、完了していないと判断された場合には（Ｓ１４、「ＮＯ」）、ステップＳ１１に戻り、引き続きＳ１１以降の処理を行う。一方、全ての印刷処理が完了したと判断された場合には（Ｓ１４、「ＹＥＳ」）場合には、そこで処理を終了する。
【００４３】
上記の構成により、本実施形態の印刷システム１によれば、印刷装置３の印刷ジョブ受付部３５１により、印刷データと、印刷データに対して設定された複数の印刷基準時を表す印刷基準時データとを含む印刷ジョブセットが受け付けられ、印刷装置３の印刷制御部３５３により、ジョブ受付部３５１により受け付けられた印刷ジョブセットの印刷データを用いて、複数の印刷基準時のそれぞれに基づいて定められる各印刷基準時のそれぞれに対応する複数の印刷実行時のそれぞれに１回分の印刷が実行されるようにしているので、ユーザは、印刷ジョブセットを１回設定するだけで、印刷を複数回繰り返し実行させることができる。これにより、ユーザの利便性が向上する。
【００４４】
また、本実施形態の印刷システム１では、印刷ジョブセットにおいて更新確認要否を設定可能とし、更新確認要否データに「確認要」が設定されている場合には、印刷装置３の印刷制御部３５３により、印刷ジョブセットの２回目以降の各印刷が、直前の印刷終了後からその印刷の印刷実行時までの間に印刷ジョブセットのデータが更新された場合にのみ実行されるようにしているので、印刷ジョブセットがそのデータに更新があった場合にのみ印刷の実行を必要とするものである場合に、無駄な印刷物の生成を防止することができる。
【００４５】
なお、本実施形態では、印刷ジョブセットの更新確認要否データに「確認要」が設定されている場合に、２回目以降の各印刷のそれぞれについて印刷基準時に対応する印刷実行時を設定し、設定された印刷実行時が到来する度にデータの更新があったか否かを判断し、その判断結果に応じて印刷の実行要否を決定するようにした場合について説明したが、それらの処理に代えて、たとえば図５のフローチャートに示すように、印刷ジョブセットのデータに更新があるか否かを監視し、更新があったときにその時点で直近の印刷基準時を特定し、特定された印刷基準時に基づいて定められる印刷実行時に印刷が実行されるようにしてもよい。
【００４６】
図５のフローチャートでは、印刷制御部３５３は、まず、印刷ジョブセットの印刷基準時データを参照して直近の印刷基準時を特定し、特定された印刷基準時に基づいて直近の印刷実行時を設定する（Ｓ２１）。次いで、タイマ３３のから出力される現在日時の情報に基づいてステップＳ２１において設定された印刷実行時が到来したか否かを監視し（Ｓ２２）、印刷実行時が到来したときに（Ｓ２２、「ＹＥＳ」）、ステップＳ２３に進み、印刷ジョブセットの印刷データを用いて印刷部３４に印刷を実行させる（Ｓ２３）。
【００４７】
次いで、ステップＳ２４に進み、印刷ジョブセットの作成／更新日時データの情報に基づいて印刷ジョブセットのデータが更新されたか否かを監視し（Ｓ２４）、データの更新があったときに（Ｓ２４、「ＹＥＳ」）、ステップＳ２５に進み、次の直近の印刷基準時を特定し、特定された印刷基準時に基づいてまた直近の印刷実行時を設定する（Ｓ２５）。そして、タイマ３３のから出力される現在日時の情報に基づいてステップＳ２５において設定された印刷実行時が到来したか否かを監視し（Ｓ２６）、印刷実行時が到来したときに（Ｓ２６、「ＹＥＳ」）、ステップＳ７に進み、印刷ジョブセットの印刷データを用いて印刷部３４に印刷を実行させる（Ｓ２７）。
【００４８】
次いで、ステップＳ２８に進み、その印刷ジョブセットについて処理が完了したか否かを判断し（Ｓ２８）、完了していないと判断された場合には（Ｓ２８、「ＮＯ」）、ステップＳ２４に戻り、引き続きＳ２４以降の処理を行う。一方、全ての印刷処理が完了したと判断された場合には（Ｓ２８、「ＹＥＳ」）場合には、そこで処理を終了する。
【００４９】
また、本実施形態では、印刷ジョブセットのデータに更新があったか否かの判断を、その印刷ジョブセットに付帯されている作成／更新日時データの情報に基づいて行う場合について説明したが、印刷データ、印刷基準時データ等の印刷ジョブセットのデータそのものに変化があったか否かを直接判定するようにしてもよい。
【符号の説明】
【００５０】
１     印刷システム
２     ユーザ端末
３     印刷装置
９     ネットワーク
２１   通信部
２２   表示部
２３   入力部
２４   制御部
２４１ 印刷ジョブ生成部
２４２ 更新指示受付部
３１   通信部
３２   記憶部
３３   タイマ
３４   印刷部
３５   制御部
３５１ 印刷ジョブ受付部
３５２ データ更新部
３５３ 印刷制御部
【図１】
2014051059.tif 000003
【図２】
2014051059.tif 000004
【図３】
2014051059.tif 000005
【図４】
2014051059.tif 000006
【図５】
2014051059.tif 000007